(57)【要約】【課題】複数の長尺の小物類を収納する収納空間の高さ寸法を調整可能な洗面化粧台用の収納用仕切部材を提供すること。【解決手段】長尺の小物類を収容するトレー５の上方に配置され、洗面化粧台１００のキャビネット３０の収納空間３２０を仕切る収納用仕切部材１であって、収納空間３２０には、収納用仕切部材１を固定するための固定部３２３が高さ方向に離れて複数配置され、長尺の小物類が挿通される貫通孔１２０を有する板状部材１０で構成され、複数配置された固定部３２３のいずれかにより固定されることで高さ方向の位置が調整可能である。【選択図】図２
2020032145.tif 000002
【特許請求の範囲】
【請求項１】
長尺の小物類を収容するトレーの上方に配置され、洗面化粧台のキャビネットの収納空間を仕切る収納用仕切部材であって、
前記収納空間には、前記収納用仕切部材を固定するための固定部が高さ方向に離れて複数配置され、
前記長尺の小物類が挿通される貫通孔を有する板状部材で構成され、複数配置された前記固定部のいずれかにより固定されることで高さ方向の位置が調整可能である、収納用仕切部材。
【請求項２】
前記貫通孔は、形状及び大きさが異なる複数の貫通孔であり、
前記複数の貫通孔の一部は、前記キャビネットの奥行方向に複数配列されている、請求項１に記載の収納用仕切部材。
【請求項３】
前記トレーの上面に配置され、前記複数の貫通孔のそれぞれの下方に対応する位置に複数の支持穴が形成された支持部材を有する、請求項１又は２に記載の収納用仕切部材。
【請求項４】
前記支持部材は、前記トレーに対して脱着可能に配置される、請求項３に記載の収納用仕切部材。
【請求項５】
前記支持穴は、非貫通孔である、請求項３又は４に記載の収納用仕切部材。
【請求項６】
前記支持穴は、貫通孔である、請求項３又は４に記載の収納用仕切部材。
【請求項７】
前記トレーは、前記固定部のいずれかにより固定される、請求項１から６までのいずれか１つに記載の収納用仕切部材。
【発明の詳細な説明】
【技術分野】
【０００１】
本発明は、収納用仕切部材に関する。
【背景技術】
【０００２】
従来、洗面化粧台のキャビネットには、歯ブラシや化粧品類等の細長い形状をしたものが収納されることがある。これらの長尺の小物類が横倒しに転倒することを防止するため、小物類を配置する部材の底面に傾斜をつけたものが提案されている（例えば、特許文献１参照）。
【先行技術文献】
【特許文献】
【０００３】
【特許文献１】特開２０１６−１７８９９８号公報
【発明の概要】
【発明が解決しようとする課題】
【０００４】
小物類を配置する部材の底面に傾斜をつけると、配置できる面積が狭くなり、収納できる小物類の量が制限されるという懸念があった。また、長尺の小物類は長さがそれぞれ異なるため、収納する小物類に合わせて収納空間の高さ寸法を調整可能に構成することが望まれていた。
【課題を解決するための手段】
【０００５】
（１）  本発明は、長尺の小物類を収容するトレー（例えば、後述のトレー５）の上方に配置され、洗面化粧台（例えば、後述の洗面化粧台１００）のキャビネット（例えば、後述のキャビネット３０）の収納空間（例えば、後述の第２収納部３２０）を仕切る収納用仕切部材（例えば、後述の収納用仕切部材１）であって、前記収納空間には、前記収納用仕切部材を固定するための固定部（例えば、後述の固定部３２３）が高さ方向に離れて複数配置され、前記長尺の小物類が挿通される貫通孔（例えば、後述の貫通孔１２０）を有する板状部材（例えば、後述の仕切部材１０）で構成され、複数配置された前記固定部のいずれかにより固定されることで高さ方向の位置が調整可能である、収納用仕切部材に関する。
【０００６】
（２）  前記貫通孔は、形状及び大きさが異なる複数の貫通孔であり、前記複数の貫通孔の一部は、前記キャビネットの奥行方向に複数配列されていることが好ましい。
【０００７】
（３）  前記トレーの上面に配置され、前記複数の貫通孔のそれぞれの下方に対応する位置に複数の支持穴（例えば、後述の支持穴６１）が形成された支持部材（例えば、後述の支持部材６０）を有することが好ましい。
【０００８】
（４）  前記支持部材は、前記トレーに対して脱着可能に配置されることが好ましい。
【０００９】
（５）  前記支持穴は、非貫通孔であることが好ましい。
【００１０】
（６）  前記支持穴は、貫通孔であることが好ましい。
【００１１】
（７）  前記トレーは、前記固定部のいずれかにより固定されることが好ましい。
【発明の効果】
【００１２】
本発明によれば、複数の長尺の小物類を収納する収納空間の高さ寸法を調整可能な洗面化粧台用の収納用仕切部材を提供することができる。
【図面の簡単な説明】
【００１３】
【図１】本実施形態の収納用仕切部材が設けられた洗面化粧台を示す斜視図である。
【図２】本実施形態の収納用仕切部材を示す展開斜視図である。
【図３】他の実施形態の収納用仕切部材を示す展開斜視図である。
【発明を実施するための形態】
【００１４】
以下、本発明の実施形態について、図面を参照しながら詳細に説明する。図１は、本実施形態の収納用仕切部材１が設けられた洗面化粧台１００を示す斜視図である。
なお、本明細書において、洗面化粧台１００の使用時に使用者が位置する方を前方、前方に対向する奥側を後方と呼び、前方から後方に向かった状態で左右方向を規定する。
【００１５】
図１に示すように、洗面化粧台１００は、洗面器２０と、キャビネット３０と、下部収納棚４０と、トレー５と、収納用仕切部材１と、を有する。
【００１６】
洗面器２０は、洗面ボウル部２１と、排水口２２と、後方壁部２３と、混合水栓２４と、を有する。
洗面ボウル部２１は、湯水を貯水及び排水可能な凹部であり、上部が開口している。
排水口２２は、洗面ボウル部２１の凹部の底面に配置され、湯水を排出する排水管に接続されている。
後方壁部２３は、洗面ボウル部２１の後方側の側面が上方に向かって延出する平坦な部分である。
混合水栓２４は、レバーの操作により湯水を混合して温度及び水量を調節し、吐水ヘッドから湯水を洗面ボウル部２１へ吐水する。
【００１７】
下部収納棚４０は、洗剤や掃除用具等の洗面化粧台１００で関連する物品を収納する棚である。下部収納棚４０は、扉４１、背面部４２、及び一対の収納棚側面部４３により内部に物品が収納可能に形成されている。
【００１８】
扉４１は、洗面器２０の手前側の縁の下方に位置する。扉４１は、一対の板状の扉が幅方向の外側でヒンジにより回動可能に取り付けられる板材であり、観音開き扉である。
背面部４２は、扉４１に対向する面である。背面部４２は、建物の壁により構成されてもよい。
一対の収納棚側面部４３は、背面部４２と扉４１とを幅方向外側で連結する側面に配置される板体である。
【００１９】
キャビネット３０は、洗面器２０の上部に配置され、洗面化粧台１００が取り付けられる壁面に固定される。キャビネット３０は、第１ミラー部３１と、第２ミラー部３２とを有する。
【００２０】
第１ミラー部３１は、前方が開口した箱状の第１収納部３１０及び第１収納部３１０の開口を開閉する鏡が取り付けられた扉３１１で構成される。第１収納部３１０の内部は、複数の棚板で仕切られ、物品が収納可能に形成される。
【００２１】
第２ミラー部３２は、第１ミラー部３１よりも面積が小さく、第１ミラー部３１の側部に沿う細長い形状を有する。第２ミラー部３２は、収納空間としての第２収納部３２０及び第２収納部３２０の扉３２１で構成される。
【００２２】
第２収納部３２０は、その上面部及び下面部は開放されており、一対の側部３２２を有する。第２収納部３２０の前方側は開口部となり、鏡が取り付けられた扉３２１で開閉される。
一対の側部３２２における一方の側部３２２ｂは、キャビネット３０の側壁を構成し、他方の側部３２２ａは、第１収納部３１０との間の仕切りを構成する。図２に示すように、一対の側部３２２には、奥側から手前側に延びる固定部３２３が複数、形成されている。
【００２３】
複数の固定部３２３各々は、一対の側部３２２内で高さ方向に離れて複数配置される溝である。固定部３２３は一対の側部３２２の奥行方向に沿って延出するように形成される。
【００２４】
図２は、本実施形態の収納用仕切部材１を示す展開斜視図であり、第２収納部３２０の内部が示されている。
トレー５は、第２収納部３２０に収納される長尺の小物類を収容する浅い容器である。トレー５は容器本体５１と、前板部５２と、係合片５３と、を有する。
【００２５】
容器本体５１は略長方形の底面部５１１と、一対の側面部５１２と、背面部５１３とを有する。
【００２６】
底面部５１１は、第２収納部３２０の一対の側部３２２ａ、３２２ｂの間に納まる長手方向の長さと、第２収納部３２０の奥行方向の寸法に対応する短手方向の長さを有する。
【００２７】
側面部５１２は、底面部５１１の短手方向の側縁から上方に向かって起立する側壁である。側面部５１２は、第２収納部３２０の奥行方向の長さに対応する奥行方向の寸法を有する。側面部５１２の短手方向はトレー５の高さ方向に延びる。
【００２８】
前板部５２は、底面部５１１から上方に向かって起立する前壁であり、底面部と同じ長手方向の長さを有する。前板部５２の高さ方向の寸法は、側面部５１２の高さ方向の寸法よりも大きい。前板部５２は、トレー５が第２収納部３２０に取り付けられた状態で、第２収納部３２０の前面に配置される。
【００２９】
係合片５３は、容器本体５１の側面部５１２に沿うとともに、側面部５１２から突出する幅の狭い平坦な部材である。係合片５３は、側面部５１２に沿う全長の半ばで、わずかに容器本体５１の上面側に向かって屈曲している。係合片５３は、容器本体５１を第２収納部３２０に取り付けた状態で手前側から奥行方向半ばまでは容器本体５１の側面部５１２と一体に接合されており、半ばから奥側へ向かって、側面部５１２から離れた片持ち片として延びている。係合片５３は、キャビネット３０の固定部３２３内にスライドしながら奥側へ進んで係合する。係合片５３が固定部３２３に係合することで、トレー５が第２収納部３２０内に固定される。
【００３０】
収納用仕切部材１は、第２収納部３２０内でトレー５の上方に配置され、第２収納部３２０内を高さ方向に仕切る部材である。収納用仕切部材１は、複数配置された固定部３２３のうちのいずれかに挿入されて固定されることで、第２収納部３２０内の高さ方向の位置が調整される。収納用仕切部材１は、板状部材としての仕切部材１０と、支持部材６０とを有する。
【００３１】
仕切部材１０は、仕切部材本体１１０と、複数の貫通孔１２０と、仕切部材係合片１３０とを有する。
【００３２】
仕切部材本体１１０は、略長方形の薄い板材で構成される。仕切部材本体１１０は、板面部１１１及び側面部１１２を有する。
板面部１１１は、第２収納部３２０の一対の側部３２２ａ、３２２ｂの間に納まる長手方向の長さと、第２収納部３２０の奥行方向の寸法に対応する短手方向の長さを有する。板面部１１１は、トレー５の上面とほぼ同じ面積を有する。
側面部１１２は、板面部１１１の周縁から厚さ方向の下方に向かって延び、仕切部材本体１１０の側面を構成している。
【００３３】
複数の貫通孔１２０は、仕切部材本体１１０の板面部１１１に形成される。複数の貫通孔１２０のそれぞれは、例えば歯ブラシや、各種のチューブ、櫛等の長尺の小物類を挿通させることを想定して形成されており、形状や大きさが異なる。例えば、図２に示すように、貫通孔１２０の丸穴１２０ａや小四角穴１２０ｂは、キャビネット３０の奥行方向に複数配列されている。また、板面部１１１には、チューブやボトル等の大きなものも挿通できるように、奥行方向一杯に形成された大四角穴１２０ｃも形成されている。
【００３４】
仕切部材係合片１３０は、仕切部材本体１１０の短手方向に沿う側面部１１２に沿うとともに、側面部１１２から突出する狭い平坦な板状部材である。仕切部材係合片１３０は、側面部１１２に沿う全長の半ばで、わずかに仕切部材本体１１０の板面部１１１の上面側に向かって屈曲している。仕切部材係合片１３０は、仕切部材１０を第２収納部３２０に取り付けた状態で、手前側から奥行方向半ばまでは仕切部材本体１１０の側面と一体に接合されており、半ばから奥側へ向かって、側面から離れた片持ち片として延びている。仕切部材係合片１３０は、トレー５の係合片５３よりも上方に所定距離、離れた位置の固定部３２３に挿入され、スライドしながら奥側へ進んで係合する。
【００３５】
支持部材６０は、トレー５の内側に収納可能なトレー５よりも薄い長方形の板状の部材である。支持部材６０は、トレー５の底面部５１１よりも一回り小さい。支持部材６０は、トレー５に対して脱着可能に、底面部５１１の上面に配置される。支持部材６０は、複数の支持穴６１を有する。
支持穴６１は、本実施形態では、非貫通孔であり、支持部材６０の上面が窪んで形成される複数の凹部である。支持穴６１のそれぞれは、仕切部材１０の仕切部材本体１１０に形成される複数の貫通孔１２０のそれぞれの下方に対応する位置に配置されるとともに、対応する大きさで形成される。
【００３６】
例えば、支持穴６１は、仕切部材１０の貫通孔１２０の丸穴１２０ａの下に配置され、丸穴１２０ａ外径の寸法に対応する大きさの四角形の凹部６１ａが形成される。また、貫通孔１２０の小四角穴１２０ｂの下に配置され、小四角穴１２０ｂに対応する大きさの小四角凹部６１ｂが形成される。また、貫通孔１２０の大四角穴１２０ｃの下に配置され、大四角穴１２０ｃと対応する大きさの大四角凹部６１ｃが形成される。
【００３７】
以上の収納用仕切部材１の使用方法について説明する。
まず、第２収納部３２０内の使用者が使いやすい位置で、トレー５の係合片５３を第２収納部３２０内に形成された固定部３２３の溝に差込んで、奥へとスライドさせ、トレー５を取り付ける。次に、トレー５の底面部５１１の上に、支持部材６０を載置する。
【００３８】
トレー５の位置を決めた後、トレー５の上方に位置する別の固定部３２３に、仕切部材１０の仕切部材係合片１３０を同様に差し込んで、仕切部材１０を固定する。このとき、トレー５と仕切部材１０との間の間隔は、収納したい小物類の背丈を考慮して任意に決めてよい。例えば、歯ブラシ程度であれば、トレー５を係合させている固定部３２３のすぐ上の固定部３２３に配置してもよい。あるいは、櫛やスプレー管等大きなものがある場合には、トレー５を係合させている固定部３２３から一段飛ばして次の段の固定部３２３に配置してもよい。あるいは、歯ブラシも櫛も両方という場合には、仕切部材１０をトレー５の上方に２段配置してもよい。
【００３９】
この状態で、仕切部材１０の貫通孔１２０のそれぞれに、形状や大きさに対応した長尺の小物類を挿通させて、支持部材６０及びトレー５により小物類の下端部を支持させる。仕切部材１０と支持部材６０とは、貫通孔１２０、支持穴６１の位置が対応するように並んでいる。そこで、所定の貫通孔１２０内に配置した小物類を、所定の貫通孔１２０に対応する支持部材６０の支持穴６１に支持させる。
【００４０】
本実施形態によれば、以下の効果が奏される。
本実施形態では、収納用仕切部材１を、長尺の小物類を収容するトレー５の上方に配置し、洗面化粧台１００のキャビネット３０の第２収納部３２０を仕切るように構成した。また、第２収納部３２０に、収納用仕切部材１を固定するための固定部３２３を高さ方向に離して複数配置した。また、収納用仕切部材１を、長尺の小物類が挿通される貫通孔１２０を有する仕切部材１０で構成し、複数配置された固定部３２３のいずれかにより固定されることで高さ方向の位置を調整可能とした。
トレー５の上方に、小物類が挿通する貫通孔１２０を有する仕切部材１０を配置し、第２収納部３２０内に高さ方向に離れて複数設けられた固定部３２３の所望の位置に固定することで、小物類の長さに応じて仕切部材１０の高さ位置を調整することができる。これにより、長尺の小物類を適切な位置で支持し、転倒したり散らばったりすることを防止することができる。
【００４１】
本実施形態では、貫通孔１２０を、形状及び大きさが異なる複数の貫通孔とし、複数の貫通孔１２０の一部を、キャビネット３０の奥行方向に複数配列させた。これにより、仕切部材１０に多くの貫通孔１２０を設けることができるので、より多くの小物類を収納することができる。
【００４２】
本実施形態では、トレー５の上面に配置され、複数の貫通孔１２０のそれぞれの下方に対応する位置に複数の支持穴６１が形成された支持部材６０を含んで構成した。
仕切部材１０の貫通孔１２０のそれぞれの下方に対応する位置に支持穴６１を有する支持部材６０を配置することで、長尺の小物類の上部を貫通孔１２０の縁で、小物類の下部を支持穴６１で支持することとなる。これにより、長尺の小物類の上部と下部がずれることを抑制できるので、小物類が傾斜せずに直立に近い姿勢で立ちやすくなり、安定する。
【００４３】
本実施形態では、支持部材６０を、トレー５に対して脱着可能に配置させた。これにより、歯ブラシ等から下に垂れる液体等により支持部材６０やトレー５が汚れても、固定部から取り外して別々に掃除することで、容易に汚れを除去することができる。
【００４４】
本実施形態では、支持穴６１を、非貫通孔にした。このため、小物類を伝って下垂する汚れは支持部材６０で受け止められ、トレー５には至らない。このため、支持部材６０を丸洗いして掃除すればよいので、掃除の負担が軽減される。
【００４５】
本実施形態では、トレー５を、固定部３２３のいずれかにより固定した。トレー５の係合片５３を固定部３２３のいずれかに挿入して固定することで、トレー５の高さ方向も調整することができる。よって、長尺の小物類を支持する位置を調整することができ、上記と同様の効果を奏する。
【００４６】
以上、本発明の好ましい実施形態について説明したが、本発明は、上述の実施形態に制限されるものではなく、適宜変更が可能である。
図３は、他の実施形態に係る収納用仕切部材１Ａが設けられたキャビネット３０の第２収納部３２０を示す。図３に示すように、支持部材６０Ａの支持穴６１Ａは、貫通孔であってもよい。支持部材６０Ａの支持穴６１Ａを貫通孔にすることで、収納用仕切部材１Ａの全体の重量を軽くすることができる。また、製造に用いる樹脂の量を低減できるため、製造コストを下げることができる。
【００４７】
また、支持部材に支持穴を形成せずに、ゴムや摩擦係数の高いシリコン等で支持部材の表面を覆い、滑り止めを施してもよい。ゴム等の滑り止めを配置することで小物類の下端部がずれることが防止でき、支持穴を設けた場合と同様の効果を奏する。
【００４８】
また、上記実施形態では、固定部３２３は、溝部であり、トレー５及び仕切部材１０の係合片５３、仕切部材係合片１３０が内部をスライドするように構成されているが、これに限られない。固定部３２３は、逆に、第２収納部３２０内の側部３２２から内側に突出する突起であって、係合片５３、仕切部材係合片１３０を突出部の上に載せた状態でスライドさせてもよく、あるいは、係合片や仕切部材係合片を、突出した固定部の上下を挟んでスライドさせるように構成してもよい。係合片及び仕切部材係合片と固定部の構成は、トレー５及び仕切部材１０を第２収納部３２０の一対の側部３２２に固定することができれば、特に限定されない。
【００４９】
また、上述した貫通孔や支持穴の構成は単なる例示であり、数や形状は適宜変更されてよい。
【符号の説明】
【００５０】
１          収納用仕切部材
５          トレー
１０        仕切部材（板状部材）
６０        支持部材
６１        支持穴
３０        キャビネット
１００      洗面化粧台
１２０      貫通孔
３２０      第２収納部（収納空間）
３２３      固定部
【図１】
2020032145.tif 000003
【図２】
2020032145.tif 000004
【図３】
2020032145.tif 000005